(57)【特許請求の範囲】
【請求項１】
可搬式で、低被曝を確保しつつ鮮明なＸ線画像を撮影できるＸ線撮影装置であって、
Ｘ線を放射するカーボンナノ構造体三極式冷陰極Ｘ線管と、
患者を透過したＸ線画像を撮影するＸ線イメージセンサと、
前記カーボンナノ構造体三極式冷陰極Ｘ線管と前記Ｘ線イメージセンサの間でかつ前記Ｘ線イメージセンサに照射されるＸ線有効撮影エリアでなく前記Ｘ線が照射される範囲内に配置されＸ線照射量を検出する第一検出器と、
前記Ｘ線イメージセンサのフレームの一側面の中央部に配置したＸ線量を検出する第二検出器と、
前記Ｘ線イメージセンサのフレームの一側面であって前記Ｘ線イメージセンサの検出面を挟み前記第二検出器と対向する位置に配置したＸ線量を検出する第三検出器と、
前記カーボンナノ構造体三極式冷陰極Ｘ線管の陰極及び陽極にそれぞれ負及び正の高電圧パルスを供給する電源と、
前記第一検出器、第二検出器、第三検出器の検出データ及び前記カーボンナノ構造体三極式冷陰極Ｘ線管から前記Ｘ線イメージセンサまでの距離の情報を入手し、Ｘ線の照射量及び減衰量を計算し、患者に最適なＸ線量及カーボンナノ構造体三極式冷陰極Ｘ線管電圧を決定し、前記カーボンナノ構造体三極式冷陰極Ｘ線管の高電圧パルスのパルス数、パルス幅、陰極及び陽極の電圧を制御するフィードバック制御手段を備えるＸ線撮影制御装置と、
からなることを特徴とする医療用小型Ｘ線撮影装置。
【請求項２】
前記第一検出器の検出結果を基に、前記カーボンナノ構造体三極式冷陰極Ｘ線管の劣化に伴うカーボンナノ構造体三極式冷陰極Ｘ線管電流の減少量を算出し、前記カーボンナノ構造体三極式冷陰極Ｘ線管の電流の減少量分を相殺させる追加電圧を前記カーボンナノ構造体三極式冷陰極Ｘ線管の陰極側電極に加えて、陽極側電圧から追加分を減らすことにより設定したカーボンナノ構造体三極式冷陰極管電流値及びＸ線量を長期間安定に発生させることを特徴とする請求項１に記載の医療用小型Ｘ線撮影装置。
【請求項３】
前記カーボンナノ構造体三極式冷陰極Ｘ線管及びＸ線撮影制御装置で構成されるＸ線照射部に、前記Ｘ線照射部の電源である着脱式のバッテリを備えることを特徴とする請求項１又は請求項２に記載の医療用小型Ｘ線撮影装置。
【請求項４】
商用電源に接続するコード及びプラグを有するＡＣ／ＤＣアダプタを備える基台と、前記基台に立設し前記Ｘ線照射部を嵌着させるアームと、前記ＡＣ／ＤＣアダプタにリード線で接続するとともにアーム端部に配置されたコネクタと、からなる保持台を備え、
前記Ｘ線照射部を前記コネクタに嵌着させることで、前記Ｘ線照射部を保持するとともに前記Ｘ線照射部に商用電源を供給することを特徴とする請求項１〜請求項３の何れか１項に記載の医療用小型Ｘ線撮影装置。
【請求項５】
前記保持台に、前記Ｘ線イメージセンサ、第二検出器及び前記第三検出器と接続する第二コネクタを備え、前記第二コネクタが前記Ｘ線撮影制御装置に前記アーム内に配置された配線を介して接続することを特徴とする請求項４に記載の医療用小型Ｘ線撮影装置。
【請求項６】
前記Ｘ線照射部に、前記商用電源又は前記バッテリからの電源供給を選択する電源切り換えスイッチを備えることを特徴とする請求項４又は請求項５に記載の医療用小型Ｘ線撮影装置。
【発明の詳細な説明】
【技術分野】
【０００１】
本発明は、可搬式の医療用小型Ｘ線撮影装置に関し、さらに低被曝を確保しつつ鮮明なＸ線画像を撮影でき、さらにＸ線源を長寿命化する技術に関する。
【背景技術】
【０００２】
可搬式の医療用小型Ｘ線撮影装置としては、特許文献１−８など複数公開されている。例えば、特許文献４では、Ｘ線源として冷陰極電子源を用いて小型化を実現している。非特許文献１及び特許文献１０には冷陰極電子源が開示されている。特許文献９には、冷陰極の長寿命に関する技術が開示されている。
【先行技術文献】
【特許文献】
【０００３】
【特許文献１】特開２０１２−９５７１５号公報
【特許文献２】特開２０１２−７０８８５号公報
【特許文献３】特開２０１２−２０８３５号公報
【特許文献４】特開２０１２−６５７６９号公報
【特許文献５】特開２０１２−６５７６８号公報
【特許文献６】特開２０１１−５６１７０号公報
【特許文献７】特開２０１１−２５１００５号公報
【特許文献８】特開２０１１−２５３７２７号公報
【特許文献９】特許２０１１−１８１２７６号公報
【特許文献１０】特開２０１２−１３３８９７号公報
【非特許文献】
【０００４】
【非特許文献１】http://beam-physics.kek.jp/bpc/procs/suzuki.pdf「“乾電池駆動超小型電子加速器・高エネルギーＸ線源の開発とその応用”２００９年３月２９日  鈴木良一  産業技術総合研究所」
【発明の概要】
【発明が解決しようとする課題】
【０００５】
しかしながら、いずれの可搬式の医療用小型Ｘ線撮影装置でも、患者の低被曝を確保しつつ鮮明なＸ線画像を取得するＸ線量の最適化、さらにＸ線源の長寿命化を考慮していない。Ｘ線源は、使用により陰極が劣化し、一定の電圧を陰極に印加しても所定の放射線量を得られなくなる。そのような状態になると、Ｘ線源を交換しなければならなかった。
【０００６】
他方、特許文献９には、冷陰極の長寿命化技術が開示されている。しかしながら、エミッタの活性化のためには通常より高い電流を流さなければならない点が問題であった。
【０００７】
昨今、災害、事故時の救急、緊急診察、在宅介護の回診に用いられる小型で移動できる可搬式の医療用小型Ｘ線撮影装置が望まれている。さらに、患者にとって低被爆で、鮮明画像を得られることが望ましい。
【０００８】
そこで、本発明は、可搬式で、低被曝を確保しつつ鮮明なＸ線画像を撮影でき、さらにＸ線源を長寿命化させることを可能とする医療用小型Ｘ線撮影装置を提供することを目的とするものである。
【課題を解決するための手段】
【０００９】
上記の課題を解決するために、本発明は、
（１）
可搬式で、低被曝を確保しつつ鮮明なＸ線画像を撮影できるＸ線撮影装置であって、
Ｘ線を放射するカーボンナノ構造体三極式冷陰極Ｘ線管と、
患者を透過したＸ線画像を撮影するＸ線イメージセンサと、
前記カーボンナノ構造体三極式冷陰極Ｘ線管と前記Ｘ線イメージセンサの間でかつ前記Ｘ線イメージセンサに照射されるＸ線有効撮影エリアでなく前記Ｘ線が照射される範囲内に配置されＸ線照射量を検出する第一検出器と、
前記Ｘ線イメージセンサのフレームの一側面の中央部に配置したＸ線量を検出する第二検出器と、
前記Ｘ線イメージセンサのフレームの一側面であって前記Ｘ線イメージセンサの検出面を挟み前記第二検出器と対向する位置に配置したＸ線量を検出する第三検出器と、
前記カーボンナノ構造体三極式冷陰極Ｘ線管の陰極及び陽極にそれぞれ負及び正の高電圧パルスを供給する電源と、
前記第一検出器、第二検出器、第三検出器の検出データ及び前記カーボンナノ構造体三極式冷陰極Ｘ線管から前記Ｘ線イメージセンサまでの距離の情報を入手し、Ｘ線の照射量及び減衰量を計算し、患者に最適なＸ線量及カーボンナノ構造体三極式冷陰極Ｘ線管電圧を決定し、前記カーボンナノ構造体三極式冷陰極Ｘ線管の高電圧パルスのパルス数、パルス幅、陰極及び陽極の電圧を制御するフィードバック制御手段を備えるＸ線撮影制御装置と、
からなることを特徴とする医療用小型Ｘ線撮影装置の構成とした。
（２）
前記第一検出器の検出結果を基に、前記カーボンナノ構造体三極式冷陰極Ｘ線管の劣化に伴うカーボンナノ構造体三極式冷陰極Ｘ線管電流の減少量を算出し、前記カーボンナノ構造体三極式冷陰極Ｘ線管の電流の減少量分を相殺させる追加電圧を前記カーボンナノ構造体三極式冷陰極Ｘ線管の陰極側電極に加えて、陽極側電圧から追加分を減らすことにより設定したカーボンナノ構造体三極式冷陰極管電流値及びＸ線量を長期間安定に発生させることを特徴とする（１）に記載の医療用小型Ｘ線撮影装置の構成とした。
（３）
前記カーボンナノ構造体三極式冷陰極Ｘ線管及びＸ線撮影制御装置で構成されるＸ線照射部に、Ｘ線照射部の電源である着脱式のバッテリを備えることを特徴とする（１）又は（２）に記載の医療用小型Ｘ線撮影装置の構成とした。
（４）
商用電源に接続するコード及びプラグを有するＡＣ／ＤＣアダプタを備える基台と、前記基台に立設し前記Ｘ線照射部を嵌着させるアームと、前記ＡＣ／ＤＣアダプタにリード線で接続するとともにアーム端部に配置されたコネクタと、からなる保持台を備え、
前記Ｘ線照射部を前記コネクタに嵌着させることで、前記Ｘ線照射部を保持するとともに前記Ｘ線照射部に商用電源を供給することを特徴とする（１）〜（３）の何れかに記載の医療用小型Ｘ線撮影装置の構成とした。
（５）
前記保持台に、前記Ｘ線イメージセンサ、第二検出器及び前記第三検出器と接続する第二コネクタを備え、前記第二コネクタが前記Ｘ線撮影制御装置に前記アーム内に配置された配線を介して接続することを特徴とする（４）に記載の医療用小型Ｘ線撮影装置の構成とした。
（６）
前記Ｘ線照射部に、前記商用電源又は前記バッテリからの電源供給を選択する電源切り換えスイッチを備えることを特徴とする（４）又は（５）に記載の医療用小型Ｘ線撮影装置の構成とした。
【発明の効果】
【００１０】
本発明は以上の構成であるので、以下の効果を発揮する。カーボンナノ構造体三極式冷陰極Ｘ線管を放射源とすることで、撮影部を小型化することができるとともに省エネ化できる。さらに、Ｘ線源とＸ線撮影制御部、電源を一体化することで、可搬式とすることができる。
【００１１】
Ｘ線撮影制御部に、フィードバック制御手段を備えるため、患者の被爆量を低く抑え、かつ鮮明なＸ線画像を撮影できる。また、カーボンナノ構造体三極式冷陰極Ｘ線管の使用に伴う経年劣化をＸ線量の減少を陰極側の印加電圧を高めて、Ｘ線量を補うことで、カーボンナノ構造体三極式冷陰極Ｘ線管から放射されるＸ線量を安定化させるため、カーボンナノ構造体三極式冷陰極Ｘ線管の使用耐用年数を長くする長寿命化を可能にする。
【００１２】
さらに、ＡＣ／ＤＣアダプタを備える保持台を用いることで、回診などの屋内での電源にも対応でき、長時間使用も可能になる。
【図面の簡単な説明】
【００１３】
【図１】本発明である医療用小型Ｘ線撮影装置の全体構成及びそれを用いて患者腹部のＸ
【図２】医療用小型Ｘ線撮影装置のＸ線イメージセンサの平面図である。
【図３】カーボンナノ構造体三極式冷陰極Ｘ線管の模式図である。
【図４】本発明である医療用小型Ｘ線撮影装置の制御ブロック図である。
【図５】カーボンナノ構造体三極式冷陰極Ｘ線管の劣化によるＸ線量の減少（劣化減少）を相殺する追加電圧を印加したときの模式図である。
【図６】保持台にＸ線照射部を保持したときの斜視図及びＸ線照射部の操作パネルの正面図である。
【発明を実施するための形態】
【００１４】
以下、添付図面に基づき、本発明の実施の形態について詳細に説明する。ただし、本発明はそれら実施形態に限定されるものではない。
【実施例１】
【００１５】
図１に示すように、本発明の一例である医療用小型Ｘ線撮影装置１は、Ｘ線イメージセンサ２と、複数の検出器と、保持台４と、Ｘ線照射部５と、電源と、ＰＣ８とからなる。
【００１６】
Ｘ線イメージセンサ２は、図１、２、４に示すように、保持台４の基台４ａに載置され、その上にＸ線撮影される患者の患部が載せられ、患者を透過したＸ線を検出し、Ｘ線画像を表示するデータを取得し、Ｘ線撮影制御装置６に取得データの信号２ｅを送信し、その信号２ｅに基づき、ＰＣ８がＸ線画像をディスプレイに表示する。Ｘ線イメージセンサ２としては、例えば、シンチレータ、ＣＣＤ、ＣＭＯＳ、ＣｄＴｅ半導体、イメージングプレート検出器等が例示される。
【００１７】
図２に示すように、Ｘ線イメージセンサ２は、中央に患部透過Ｘ線を検出する検出面２ａと、その周囲を囲むフレーム２ｂと、フレーム２ｂに持ち運びするための取っ手２ｃが設けられている。フレーム２ｂには、図２のように、後述の第二検出器３ｂ、第三検出器３ｄが露出して備えられる。
【００１８】
複数の検出器は、図１、２に示すように、第一検出器３と、第二検出器３ｂと、第三検出器３ｄとからなる。Ｘ線イメージセンサ２と、第一検出器３、第二検出器３ｂ及び第三検出器３ｄで、図４に示すＸ線検出装置群２ｆを形成する。
【００１９】
第一検出器３は、図１、３に示すように、カーボンナノ構造体三極式冷陰極Ｘ線管５ａとＸ線イメージセンサ２の間でかつＸ線イメージセンサ２に照射されるＸ線有効撮影エリア５ｎでなく、Ｘ線５ｍが照射される範囲内（撮影エリア外５ｏ）に配置され、Ｘ線照射量を検出する。第一検出器３は、Ｘ線照射部５に備えられ、常に、前記所定位置に配置される構成が好ましく、例えば、Ｘ線照射部５から吊す方式（図６の吊り下げ具３ｆ）、後述のアームに係止、回動する機構などが例示できる。
【００２０】
第二検出器３ｂは、Ｘ線イメージセンサ２のフレーム２ｂの一側面の中央部に配置され、Ｘ線量を検出する。第三検出器３ｄは、Ｘ線イメージセンサ２のフレーム２ｂの一側面であってＸ線イメージセンサ２の検出面２ａを挟み、第二検出器３ｂと対向する位置に配置されＸ線量を検出する。検出された各種データ信号３ａ、３ｃ、３ｅは、Ｘ線撮影制御装置６に送られ、後述のフィードバック制御、Ｘ線量安定化制御に用いられる。
【００２１】
保持台４は、図１、図６（Ａ）に示すように、商用電源に接続するコード４ｈ及びプラグ４ｅを有するＡＣ／ＤＣアダプタ４ｇを備える基台４ａと、基台４ａに立設しＸ線照射部５を嵌着させるアームと、ＡＣ／ＤＣアダプタ４ｇにリード線４ｆで接続するとともにアーム端部に配置されたコネクタと、からなる。アームは、接続部４ｄで、伸縮又は折り畳み或いは接続する上アーム４ｂと下アーム４ｃとからなり、コンパクトで、可搬性が高い。アームの伸縮により、Ｘ線照射部５とＸ線イメージセンサ２までの距離を検出する手段を備える。その検出手段として、レーザー距離計、又はギア計測などが例示できる。検出した結果は、Ｘ線撮影制御装置６に出力し、フィードバック制御に用いられる。
【００２２】
基台４ａのＡＣ／ＤＣアダプタ４ｇは、重しの役目も兼ね、Ｘ線照射部５を保持できる位置に配置することが望ましい。リード線４ｆがアーム内部に配線されることで、一層可搬性が高まる。
【００２３】
さらに、保持台４の基台４ａに、Ｘ線イメージセンサ２、第二検出器３ｂ及び第三検出器３ｄと接続する第二コネクタ４ｉを備え、第二コネクタ４ｉがＸ線撮影制御装置６にアーム内に配置された配線４ｍを介して接続する。加えて、基台４ａにＸ線イメージセンサ２、第二検出器３ｂ及び第三検出器３ｄに電源を供給するコンセント４ｋを備え、コンセント４ｋはＡＣ／ＤＣアダプタ４ｇを介して商用電源に接続する。このようにすることで、医療用小型Ｘ線撮影装置をコンパクトに組み立てることができる。
【００２４】
Ｘ線照射部５をアーム端部（コネクタ）に嵌着させることで、Ｘ線照射部５を保持するとともに、Ｘ線照射部５に商用電源を供給（電気的に接続）する構成とすることで、組み立てが容易である。アームにＸ線照射部５を嵌着させた場合には、商用電源の供給が優先される機構を備えてもよいし、バッテリ７ｂと商用電源（ＡＣ／ＤＣアダプタ）を選択する電源切り換えスイッチ７ｃを備え、希望の電源を選択できるようにしてもよい。図６（Ａ）では、Ｘ線照射部５に、電源切り換えスイッチ７ｃを設けている。
【００２５】
Ｘ線照射部５は、図１、図４に示すように、カーボンナノ構造体三極式冷陰極Ｘ線管５ａと、Ｘ線撮影制御装置６とからなり、着脱式バッテリ７ｂとともに一体とすると、ポータブル性が高まる。Ｘ線撮影制御装置６を別体としてもよい。
【００２６】
カーボンナノ構造体三極式冷陰極Ｘ線管５ａは、図３（Ａ）（Ｂ）に示すように、小型で、陰極５ｂ側のカーボンナノ冷陰極５ｄで発生した電子５ｅを陽極５ｃ側のターゲット５ｆに照射して、Ｘ線５ｍを発生させ、照射口５ｇから放出する。乾電池、バッテリ、商用電源で駆動する原理、構成は、特許文献１０、非特許文献１に詳しく記載されている。電源は、カーボンナノ構造体三極式冷陰極Ｘ線管５ａの陰極５ｂ及び陽極５ｃにそれぞれ負及び正の高電圧パルスを供給する。
【００２７】
Ｘ線撮影制御装置６は、第一検出器３、第二検出器３ｂ、第三検出器３ｄの検出データ及びカーボンナノ構造体三極式冷陰極Ｘ線管５ａからＸ線イメージセンサ２までの距離の情報を入手し、Ｘ線の照射量及び減衰量を計算し、患者１０に最適なＸ線量及カーボンナノ構造体三極式冷陰極Ｘ線管５ａの電圧を決定し、カーボンナノ構造体三極式冷陰極Ｘ線管５ａの高電圧パルスのパルス数、パルス幅、陰極５ｂ及び陽極５ｃの電圧を制御する、すなわち図４に示すフィードバック制御手段を実行する。Ｘ線撮影制御装置６は、その他、図６に示す各種処理を行い、各種データベースを格納する。
【００２８】
カーボンナノ構造体三極式冷陰極Ｘ線管５ａの安定化（長寿命化）は、図５に示すように、第一検出器３の検出結果を基に、カーボンナノ構造体三極式冷陰極Ｘ線管５ａの劣化に伴うカーボンナノ構造体三極式冷陰極Ｘ線管５ａの電流の減少量を算出し、カーボンナノ構造体三極式冷陰極Ｘ線管５ａの電流の減少量分を相殺させる追加電圧をカーボンナノ構造体三極式冷陰極Ｘ線管５ａの陰極５ｂ側電極に加えることで、陽極５ｃ側電圧から追加分を減らすことにより設定したカーボンナノ構造体三極式冷陰極管５ａの電流値及びＸ線量を長期間安定に発生させることができる。その結果、図５に示すように、カーボンナノ構造体三極式冷陰極Ｘ線管５ａからのＸ線照射量が規定値に設定され、カーボンナノ構造体三極式冷陰極Ｘ線管５ａの使用耐用年数が長くなり、経済的である。
【００２９】
Ｘ線撮影は、スイッチ７をオンすることで開始する。スイッチ７をオンすることで、カーボンナノ構造体三極式冷陰極Ｘ線管５ａへの通電が行われ、フィードバック制御手段、その他検出器が駆動し、最適なＸ線画像を撮影する。
【００３０】
ＰＣ８は、Ｘ線イメージセンサ２、第一検出器３、第二検出器３ｂ、第三検出器３ｄの検出、取得データの信号２ｅ、３ａ、３ｃ、３ｅを入手し、Ｘ線撮影制御装置６に送る（通信７ａ）。また、Ｘ線撮影制御装置６の設定を制御するとともに、Ｘ線撮影画像をディスプレイにリアルタイムで表示することができる。ＰＣ８とＸ線撮影制御装置６との通信７ａと通信は、有線又は無線でされる。
【００３１】
Ｘ線照射部５には、マイコン６ａ等、制御・記録機構が備えられ、図６に示すように、Ｘ線照射部５の操作パネル９には、Ｘ線撮影の条件を設定できる各種ボタンが設けられている。
【００３２】
以下操作パネルの各種ボタンについて説明する。電源キースイッチ９ａを回動させることでＸ線撮影制御装置６に電源が供給される。電源がオンのときは電源ランプ９ｂが点灯する。液晶ディスプレイ９ｃは、各種設定、バッテリ残量表示９ｒが表示される。撮影部位設定ボタン９ｄは、代表的な撮影部位の最適放射線量に相当するカーボンナノ構造体三極式冷陰極Ｘ線管の陽極側及び陰極側の電圧値が登録されている。
【００３３】
体型設定ボタン９ｅは、代表的な体型が設定されており、撮影部位の前記電圧値を補正する。Ｘ線イメージセンサ設定ボタン９ｆは、異なるＸ線イメージセンサ特性の違いを補正する。照射タイマー設定ボタン９ｏは、Ｘ線撮影者の不要な被爆を避けるため退避する場合に照射タイマーとして機能する。検出器設定ボタン９ｐは、異なる検出器特性の違いを補正する。
【００３４】
マイナス方向移動ボタン９ｈ及びプラス方向移動ボタン９ｉは、液晶ディスプレイ９ｃの点滅表示させた文字表示部分の項目内容表示を切り替えて選択できるようにする。Ｘ線照射表示ランプ９ｋは、Ｘ線が照射されていることを知らせるため、Ｘ線が照射されていとき点灯する。確定ボタン９ｇは設定確定時、リセットボタン９ｑは、設定リセット時に用いる。外部リモート端子９ｍは、スイッチ7を接続するコネクタである。
【符号の説明】
【００３５】
１    医療用小型Ｘ線撮影装置
２    Ｘ線イメージセンサ
２ａ  検出面
２ｂ  フレーム
２ｃ  取っ手
２ｅ  信号
２ｆ  Ｘ線検出装置群
３    第一検出器
３ａ  信号
３ｂ  第二検出器
３ｃ  信号
３ｄ  第三検出器
３ｅ  信号
３ｆ  吊り下げ具
４    保持台
４ａ  基台
４ｂ  上アーム
４ｃ  下アーム
４ｄ  接続部
４ｅ  プラグ
４ｆ  リード線
４ｇ  ＡＣ／ＤＣアダプタ
４ｈ  コード
４ｉ  第二コネクタ
４ｋ  コンセント
４ｍ  配線
５    Ｘ線照射部
５ａ  カーボンナノ構造体三極式冷陰極Ｘ線管
５ｂ  陰極
５ｃ  陽極
５ｄ  カーボンナノ陰極
５ｅ  電子
５ｆ  ターゲット
５ｇ  照射口
５ｈ  中間極
５ｉ  孔
５ｋ  グランド
５ｍ  Ｘ線
５ｎ  Ｘ線有効撮影エリア
５ｏ  撮影エリア外
５ｐ  遮蔽部
５ｑ  単三乾電池
６    Ｘ線撮影制御装置
７    スイッチ
７ａ  通信
７ｂ  バッテリ
７ｃ  電源切り換えスイッチ
８    ＰＣ
８ａ  Ｘ線撮影ソフトウエア
８ｃ  制御信号
９    操作パネル
９ａ  電源キースイッチ
９ｂ  電源ランプ
９ｃ  液晶ディスプレイ
９ｄ  撮影部位設定ボタン
９ｅ  体型設定ボタン
９ｆ  Ｘ線イメージセンサ設定ボタン
９ｇ  確定ボタン
９ｈ  マイナス方向移動ボタン
９ｉ  プラス方向移動ボタン
９ｋ  Ｘ線照射表示ランプ
９ｍ  外部リモート端子
９ｎ  各種機能設定選択ボタン  
９ｏ  照射タイマー設定ボタン
９ｐ  検出器設定ボタン
９ｑ  リセットボタン
９ｒ  バッテリ残量表示  
１０  患者
【図４】
0005967637.tif 000002
【図５】
0005967637.tif 000003
【図１】
0005967637.tif 000004
【図２】
0005967637.tif 000005
【図３】
0005967637.tif 000006
【図６】
0005967637.tif 000007